(57)【要約】【課題】従来の整形当てまくらはマグネット、合成樹脂、化学繊維を利用し安眠まくらや整形を目的としコールセット保整用具があるがこれ等は伸縮性で、縛られる感じが強く化学繊維素材で汗の吸収や通気性も肌さわりも悪く、負担も大きく高価等の問題があった。【解決手段】長方形部材にミシンステッチと充填物を入れ、凹凸の山形三個、四個、六個にそれぞれの形態に作製し、長さ方向に調節紐を通しループを作り自由調節できる構成に高齢者、病気、一日中前かがみで従事する人等何らかの原因により脊椎が曲って行く時の整形、鈍痛の緩和が出来脊椎を凸に当てると凹は肩甲骨の位置に行き、体重を掛け整形保護ができ長期療養者、車椅子の床ズレ防止保護や介助介護に役立ち背当、腰当、足当に通気性が良く又骨折、捻挫、手術後に調節紐で固定でき安全で負担も軽く、凹凸形態と充填物により衝撃にも防御でき多目的に使用出来る便利な整形保護当てまくら。【選択図】図６
2011125679.tif 000002
【特許請求の範囲】
【請求項１】
長方形から形成された整形保護当てまくらであって、布地を裁断して二枚の長方形の布を作る、二枚の布地の寸法は洋服のドレメ式原形寸法の後首回り、後肩幅、後胸幅から肩甲骨の位置を割り出し、左肩甲骨から右肩甲骨までの寸法は平均がＳ寸は９ｃｍ、Ｍ寸は１１ｃｍ、Ｌ寸は１３ｃｍとなる寸法に形成し、長方形の短い方向布幅は平均１１ｃｍ、長い方向の寸法は首廻りからウエストまでの３７ｃｍとウエスト下１５ｃｍをプラスし平均５２ｃｍの長方形の長さ方向寸法を形成し、それぞれに縫い代を付け、二枚の布を裁断し、中表に縫い合わせ、短い方向に充填物投入口を開け表返し、長方形の周辺をミシンステッチを端と更に接近して二本入れ、短い方向の中央の凸形の寸法は左肩甲骨から右肩甲骨までの幅Ｍ寸１１ｃｍに印を付け、１１ｃｍの両方にミシンステッチを二本入れ、充填物を入れ閉じると三個の山形が形成できる、整形保護当てまくらである。
【請求項２】
長方形から形成された整形保護当てまくらは請求項１に記載した凹凸の三つの山形の中央の山部にミシンステッチを入れ充填物を投入すると両側は中央より高くなり中央の山形は低く、形成され、脊椎の曲った人、手術後に床ズレ防止保護に使用出来る整形保護当てまくらである。
【請求項３】
長方形から形成される整形保護あてまくらは請求項１、請求項２の長さ方向に調節紐を通するループを付け長期療養や車椅子、更に手術後捻挫、骨折の整形保護当てまくらは三個の凸の部にそれぞれミシンステッチを入れ六つの凸に構成する、請求項１の記載と同じように布地を裁断して二枚の長方形の布を作り、一枚の長方形の長さ方向両方にループの付ける位置を印し、ループは正バイヤスで裁断して、長い袋状に構成し、中に力紐を通し、調節紐が通る大きさに切断し印した長方形一枚の表側布にループを縫い付け、長方形の二枚の布を中表に重ねて充填物の入り口を開けて周囲を縫い合わせ、表に返し周辺にミシンステッチを接近して三本入れ、長方形の短い方向の中央に左肩甲骨から右肩甲骨までの幅１０ｃｍ両側にミシンステッチを入れる、更に三分割した山形形状の長さ方向にループを付け、更に請求項２に記載した四分割した山形形状の長さ方向にループを付け、更に請求項１に記載する三分割した、三つの山形形状の方向にループを付け凸の位置にミシンステッチを入れ、六分割にし充填物を投入しミシンステッチで閉じる、更にループを通す調節紐を作製し、調節紐は長さ方向の約４，５倍の長さに作製し、多目的に使用出来る事を特徴とした整形保護当てまくらである。
【発明の詳細な説明】
【技術分野】
【０００１】    本発明は病気、高齢者、一日中前かがみになってする仕事等により脊椎変形して行くのを防止し、その予防や保護ができ、更に脊椎、肩、腰が曲って行く時の鈍痛が、緩和できる整形保護当てまくらとなり、更に寝たっきりの長期療養者や車椅子使用者等の床ズレの防止や床ズレ進行の抑制、或いは床ズレ部分の保護のために背当て、腰当て、足当てに有効であり、更に脊椎が弓状に変
2011125679.tif 000003
の防止保護に加えて手術後の手、足、背中、胸部の安定的に固定に役立つ、更に骨折や捻挫した時にその患部の使用する整形保護当てまくらに関するものである。
【背景技術】
【０００２】  従来は脊椎が変形して行くのを防止保護する為に背中から胸にかけて全体のコルセットとか伸び縮みするゴム状で肩に掛けタスキ状の物や、ゴムでサポータ状のもので締め止めるようになっているが、前かがみもしにくく、苦しく感じで、特に高齢者には負担に感じ、作ってもなかなか長時間使用しにくく、又磁石や化学物質を入れて作られているが、夏は汗で蒸れ、ただれやすく、着用しにくく、ゆっくり変形して行くのを自分の体重を利用し、安眠時間に脊椎、背骨が正常に整形でき、前かがみの胸部が開き、すっきりし、身体に負担がなく又脊椎が曲がって行く時に鈍痛が伴うのを緩和でき、又床ズレ防止、予防、保護には空気マットがあるが、横折か、横線が入り、ふわふわであり、合成樹脂、化学繊維類に縦線を入れた場合は滑り、外れて、脊椎整形役目は果たされないが、整形保護当てまくら更に調節紐により、背当て、足当てになり、床ズレ防止、予防、保護、整形と多目的に役立つ、人体原形より計算され割り出されて構成された寸法は整形保護当てまくらは存在しない。
【先行技術文献】
【特許文献】
【０００３】
【特許文献１】特開平０２−１１７３５８号
【発明の開示】
【発明が解決しようとする課題】
【０００４】  このように従来の整形保護まくらは背当て、腰当、正座、円座類がつくられているが、部分的に当てられるだけで脊椎等、整形できない問題があった、又左右の肩甲骨の基本の寸法が決まっており、肩甲骨が凹に沈み短時間上を向いて寝るだけでも、姿勢が良くなり、肩こり、腰の痛みもサーポト出来るものを発明した。従来の手、足、背中、胸部の手術、骨折、捻挫した時など包帯をぐるぐる巻き、その上から石膏で固めてギブスで固定させ、一ヶ月程してギブスを取り除いているが、重く、蒸れ、湿疹、赤くなり、ただれている等身体に負担が大きく、整形するためとか、コルセットのようなものは皮膚にぴったり付き、きゅっと締めるが、整形保護当てまくらは凹凸に構成してある為形態に合わせ曲げられ、紐の調節でしっかり固定、安定ができ自動調節できしかも通気性が良く、皮膚も保護し、脊椎の整形もでき、体に負担の少ない整形保護当てまくら存在しないため、自分の体重を利用し、背が曲ったり、肩、腰の痛みを保護できるものを発明した。又病気、高齢等により脊椎が曲がっていくのを整形保護等をするコルセット、サポータ類タスキ状の物、マグネット、合成樹脂でカチカチで痛かったり、化学物質を入れた物等が作られているが、マジックで止めてある製品が多く、剥がれ外れやすく、これ等は伸縮性が強く、縛られる感じが強く、夏には汗、臭を吸収しにくく、日常的に正常な体形を保って行くには伸縮性であるため着用に負担がかかり、しかも高価であるため購入しにくい等の問題がある。
【課題を解決するための手段】
【０００５】    本発明の整形保護当てまくらは背当てにして、寝ている時間凸の部位に脊椎に当て自分の体重を掛け、脊椎、前かがみの整形ができ凹の部位に肩甲骨がいく為、床ズレできず、通気性が良く脊椎の保護、整形、肩こり、腰の鈍痛を保護する為洋服のドレメ式原形より構成し、背中にぴったり合わせ安定性があり、安全で更に一つの製品でより一層機能を果たす為に、調節紐をセットする事でまくら、背当て、足当てに手術後また骨折、捻挫、脛、膝、節々部分、踵等に凹凸部分を利用し紐で調節し固定、安定させ鈍痛を緩和させ、動いても調節紐がある為外れず負担が少なく、床ズレ防止もでき、車椅子の補助に安定し安全で操作の簡単な整形保護当てまくらを実現する事を目的とする。【０００６】    上記目的を達成するために請求項記載の整形保護当てまくらは長方形の布１Ａと布２Ｂの二枚を裁断し中表３３に合わせ長方形の短い方向３と長さ方向４と５を縫い合わせ３２、充填物投入口６から表返しにし、その充填物投入口を開けて、周辺を端にミシンを入れ、接近して二本ミシンステッチを入れ、両短か方向に山形１２Ｃ、１３Ｄ、１４Ｅになる位置にミシンステッチ１０、１１に二本入れ、充填物投入口より充填物を入れて、ミシンステッチ７，８，９三本にして閉じる、但し中央のＭ寸法は１０ｃｍ、短か方向はＭ３８ｃｍ、長さ方向Ｍ５２ｃｍと固定寸法であるため人体に添う。【０００７】    上記目的を達成するために請求項２記載の整形保護あてまくらは上記請求項と同じ工程で行い、山形１２Ｃ、１３Ｄ、１４Ｅになる位置に印を付け、ミシンステッチ１０、１１に二本入れ更に山形の中央になる山形の真中にミシンステッチ二本１５に入れ、山形１６Ｆ、１７Ｇを構成する、両側の山形１３Ｄ、１４Ｅは中央の山形１６Ｆ、山形１７Ｇより大きく高くなり、山形１６Ｆ、１７Ｇは低く背中が曲って上向きに寝られない人、背中を手術をした人には特に良く、更に折り畳める為使用目的に合わせて調節できる整形保護当てまくらである。【０００８】    上記目的を達成するために本発明の請求項３の整形保護当てまくらは請求項１、請求項２更に請求項３の長方形の長さ方向両側に調節紐を作るループと調節紐を構成するものであり、長方形の布１Ａ、２Ｂの二枚の布を裁断し、布１Ａの長さ方向４、５に調節紐１８を通すループ位置に印を付ける、ループ１９は正バイヤス２０で長い袋状２１に構成し、伸び止めに力紐２２を通し調節紐が通る大きさに切断２３し、布１Ａの長さ方向４、５の表側にループ１９を縫い付け長方形１Ａと布２Ｂを中表３１Ｎにして短い方向の充填物投入口６を開け、縫い合わせ、重ねて縫い合わせて表返し長方形の周辺にミシンステッチ７、８、９を入れ、更に中央部の山形１２Ｃの両側にミシンステッチ１０，１１を入れると山形１２Ｃ、１３Ｄ、１４Ｅの三個の山形が構成できる、更に請求項３においては山形１２Ｃと山形１３Ｄと山形１４Ｅの中央部にミシンステッチ二本１５を入れると山形になる部分は山形１６Ｆ、１７Ｇ、２５Ｈ、２６Ｉ、２７Ｊ、２８Ｋになり、充填物投入口より充填物を入れミシンステッチ７、８、９で止めると小さい山形ができ曲りやすく、人体に沿う構成になる、調節紐は縦地布２９を使用し長方形長さ方向の４．５倍��長さを作成する、紐の両側にミシンステッチを入れる、又手術後背中、胸部、車椅子等の固定、安定に使用するために４．５倍調節紐を二本作って置くと使用目的に合わせ自由調整でき安全で安定のあるように構成してある事を特徴とする整形保護あてまくらである。
【発明の効果】
【０００９】    従来の当てまくらは人体補整具、脊椎、腰、足等矯正具、背当て、空気マット等にはない、肩幅、背丈、脊椎に当たる部分が山状形になり、肩甲骨が沈みその横部が山になり両手つけ根が少し下げるように横幅短い方向はＭ寸で３８ｃｍからＬ寸で４２ｃｍまでの寸法になっており、背丈はＭ寸で５２ｃｍからＬ寸で５５ｃｍに背丈、背幅寸法が決まっているため、人体に添い、寝つきが早く朝までぐっすり眠れ、二時間程寝て外していても朝起きると背筋がすっきりし、一日中パソコン等している人は姿勢が良くなり肩こり、腰の痛み緩和する等四年間の試供で介護施設の看護師さん一般３２人と病院先生３人方のテスト意見結果をいただき、更に手足の手術後骨折、捻挫の時も石膏で固めるよりは負担が軽く凹凸形態と充填物により、当たった時の衝撃も防御でき、通気性も良く、軽く操作が簡単で形状によって紐で自由調節が出来便利である整形保護当てまくらを提供ができる。【００１０】    従来は整形、骨折、捻挫、手術後使用するコルセット、又女性の人体補整に使用するコルセット類は皮膚にぴったり付いて、通気性が悪く、蒸れたり、赤くなったり、ただれや又手術後使用には血液の流れや、皮膚を圧迫するようで手術後、骨折、捻挫等の処置に負担が大きかった、整形保護あてまくらは凹凸になっていて、ミシンステッチが多く入っている為通気性が良く、強く紐の調節で損傷のある部分に当たらず、周辺をしっかり支え保護し、負担の少ない安全な整形保護当てまくらを提供することができる。【００１１】    本発明の整形保護当てまくらは体重を支える為、少し厚めで強い綿１００％の通気性の良い、汗の吸収する布を使用し、長方形の長さ方向の両側他にループを付け、短か方向の中央は左肩甲骨から右肩甲骨の寸法にする、Ｓ寸は８ｃｍ〜９ｃｍ、Ｍ寸は１０ｃｍ〜１１ｃｍ、Ｌ寸は１２ｃｍ〜１４ｃｍと長さ方向はＳ寸は３７ｃｍ〜３８ｃｍ、Ｍ寸は３９ｃｍ〜４０ｃｍ、Ｌ寸は４１ｃｍ〜４２ｃｍにし充填物は体重で潰れないようにソバ殻９０％発泡スチロールを１０％ほど入れる、通気性が良く、ソバ殻は汗、臭を吸収する為蒸れず、床ズレ防止予防によく、ステッチを入れ、三個の山形に形成してある為、病気や高齢者になると脊椎が曲がっていく人には中央の高い部分を脊椎に当てミシンステッチで凹んでいる部分に床ズレしやすい肩甲骨が位置する為床ズレ防止になり、自分の体重を掛ける為負担がなく、特に脊椎が曲らないように保護でき、ゆっくりと整形でき、周辺にミシンステッチを三本入れる事により布団との段差がなく、胸は張り、脊椎は真っ直ぐになり、とても快適である。【００１２】    更に体を曲げる時の鈍痛も緩和でき、快適に過ごせる整形保護当てまくらである、多目的に使用する場合は調節紐で体形状態に合わせて丸形、三角形状、ブリッチ形、Ｌ形に調節できまくら、背当て、車椅子使用者の当てまくらにもミシンステッチが入っている為、支える力が安定し、脛とかくるぶし部分の床ズレのできやすい部分に当てると通気性も良く、紐を調節する事で足から外れずに安定し、安定し、背当てにはＬ形に当てる事ができ、横向きの時は調節紐でコの字形にし、胸に抱えると手が落ちず胸の方は空洞になり、蒸れず、調節も簡単でこれまでにない、��適に過ごせる整形保護当てまくらが提供できる。【００１３】    整形保護当てまくら凹の部に接近したミシンステッチを２〜３本縫い、体重が乗っても破れず、形状が変らないよう強く、長方形の周囲は三回のミシンステッチを入れる、充填物を入れると長方形には折り曲げられコの字形に曲げ頭、足箇所に折り曲げ背当て等多目的に使用でき、短い方向には折り曲げられなく、強く作製できる、周辺３本のミシンステッチにより、敷き布団との段差をなくし、使用しても負担が掛からないように作製し、長方形の両端のループに紐を通し調節し、病状、体形に合わせ自由に調節できるように構成した事を特徴とする整形保護当てまくらである。【００１４】    整形保護当てまくらは長方形の長方側は肩からお尻までの寸法５２〜５３ｃｍの長さにし、短い方向側は背幅３９ｃｍの幅の広さに縫い代を付けて裁断する、背中が安定する寸法となり、長方側に点々と紐を通すループを付けて表返し、長方形部材全体にしっかりミシンステッチを入れ、複数の分割部に充填物を入れると凹凸ができ、微妙なクッションの役割を保ち体を支えている、中央の凸の部に脊椎を当てると、凹の部分が肩甲骨の位置になる為、床ズレのできやすい肩甲骨の部分、脊椎、腰部分の保護ができる、又整形保護当てまくらは脛、膝、踵、背中、胸部、関節の部分に当たらず、保護、補助でき凹凸部分を利用し手、足、背包むように調節紐を掛け調節すると固定でき安定し、鈍痛も緩和し、車椅子等横向き、移動しても、外れず負担がなく、多目的機能効果を保持してくれる整形保護当てまくらである。【００１５】  本発明の整形保護当てまくらは背当、腰当、足、手等の当てまくらだけではなく、長方形の長さ方向にループを付け複数の凹凸を構成してあるため手術後捻挫、骨折等には石膏よりも負担が軽く、調節も簡単に出来調節紐の通し方で使用部分に合わせ重傷部分に当たらないように調節でき人体に当たる部分も綿布１００％なので肌触りが良く、背当てかかえまくらとしても通気性が良く、病人とっては蒸れず、床ズレ防止になり、凸部で体を優しく支え、更に車椅子の人には横倒れしないよう横に当て、もう一本の紐で車椅子に固定すると凹凸道でも、人体を保護でき、背当てにも良く、足の不自由な人には左右の足の中に当て、車椅子に調節紐で固定でき、人体が斜めにならず、安定して移動、食堂等に行け、多目的に使用出来る便利な機能効果が高い整形保護当てまくらを発明した。
【図面の簡単な説明】
【００１６】
【図１】二枚の長方形を裁ち、周辺を縫い合せ表返しミシンステッチした図
【図２】充填物を入れ、閉じ、山形３個形状の完成図
【図３】山形部の中央部にミシンステッチを入れ、中央を低く構成した完成図
【図４】正バイヤスで袋状に形成し中に力紐を通した図と調節紐の図
【図５】長さ方向にループを付け、縫い合せ図とそれを返してミシンステッチを入れた図
【図６】三個の山形形状にループを付けた図、４個の山形形状にループを付けた図、６個の山形形状にループを付け構成した完成図
【図７】調節紐をクロス状に掛けた一例図と二例図
【図８】背は図２を当て足に図３を当てた図
【図９】足に包帯をした上から着用した図と背、足の手術後に着用した図
【図１０】手に７図を着用した図と少し曲げ調節紐をセットした図
【図１１】通気性の良いまくらを背当てした図クッションの良いように調節紐をセットしたまくらと横向きで手がずれないように使用した図
【図１２】車椅子に使用した図
【発明を実施するための形態】
【００１７】  以下、発明の実施の形態の図１〜図１２に基づいて説明する。
【００１８】  図１においては綿１００％で体重を支える強さの通気性の良い素材で二枚の長方形１Ａと２Ｂを裁断し、中表にし充填物投入口６を開け周辺を縫い合せ３２表返し、布団との差で負担が掛からないように端ミシンを他に２ｍｍ間隔で二本のミシンステッチ８，９山形１２Ｃの両側にミシンステッチ１０，１１を入れた斜視図
【００１９】  図２に於いては充填物投入口６からソバ殻９０％と体重を乗せても、潰れないように発泡スチロール１０％と投入し閉じミシンステッチ７，８、９を入れ、山形１２Ｃ、山形Ｄ、山形Ｅを形成した斜視図
【００２０】  図３においては請求項１の山形１２Ｃの中央部にミシンステッチ二本１５を入れると山形Ｄ、Ｅの山形より小さく低くなり、背中が弓形に曲って上向きに寝れない人又は手術、骨折等をし脊椎が下に当って痛む人に使用すると両側の山形１２Ｃ、１３Ｄの部分に支えられ、両腕では下になり、ゆっくりと保護しながら正常な背中に戻し構成した斜視図
【００２１】  図４においてはループ１９が丸くカーブするように正バイヤス２０に裁断し長い袋状２１に構成し、ループ１９が伸びなく又強く調節紐１８を支えるようにループ１９の中に伸び止めする力紐を通し、調節紐１８が通る大きさに切断する、更に調節紐は縦地４．５ｍｍ布幅を裁ち、折り畳み約１．２ｍｍ〜１．４ｍｍの強い紐状にしミシンステッチを両端と中に入れ更に強くし、安全な調節紐１８を長方形の長さ方向の４．５倍の長さを作製した斜視図
【００２２】  図５においては長方形１Ａの長さ方向４，５の表布側にループ１９を点々と付けて長方形１Ａ、２Ｂを中表にし充填物投入口６を開けて縫い合わせて３２表に返し充填物投入口６を開け周辺をミシンステッチ７，８，９を入れ、短か方向４，５の中心部に左右の肩甲骨の幅でＭ寸は１１ｃｍ、Ｌ寸は１３ｃｍ、Ｓ寸は１０ｃｍ印をミシンステッチ２本１５を接近して入れ構成した斜視図
【００２３】  図６について三個の山形Ｃ、Ｄ、Ｅに構成し長さ方向４，５にループ１９を付けた図と中央を２個の山形Ｆ１６と山形Ｇを構成し長さ方向４，５にループ１９を付けた図と６個の山形にループを付け充填物を投入した完成斜視図
【００２４】  図７においてはループ１９に調節紐１８に通した整形保護当てまくらは病状、体形に合わせて平行Ｖ、コの字形に当てる事が出来る形状３０、形状３１にセットした形状例の斜視図
【００２５】  図８においては背当てにすると自分の体重がかかり脊椎が変形しい行くので防止、保護ができ、正常な体形状態になり、肩こり、腰の鈍痛が緩和に役立ち、足のだるさ、床ズレになりやすい、踵、脛等が凹凸状態の部に当り、通気性が良い状態に保てるようにして使用の斜視図
【００２６】  図９においては腰を痛めたり、手術後に固定、安定さす為に調節紐を病状、体形に合わせ、負担の掛からないようにセットする、足の脛を手術後、又足部を損傷した時等、その部分に当たらないように固定、安定させる、凹凸になっている為通気性も良く、微妙なクッションにもなり、負担も少なくなるように着用した斜視図
【００２７】  図１０においては整形保護当てまくらは足、手、背中、胸部、脛、膝、関節部、踵の手術後、又捻挫、骨折に紐の通し方で動かしてはならない部分を保護し、少々動いても紐で止めてある為、安定し安全で便利な整形保護当てまくらを手に着用した一例の斜視図
【００２８】  図１１においては調節紐をクロス状、コの字形等に調節することで枕になり、通気性が良く、蒸れず、耳の周辺が赤くならず、床ズレしやすい部分は特に保護でき、耳も良く聞こえる、背当てにはＬ字形になるように調節すると病人には負担が分散でき楽であり、足に使用すると脛、足くるぶし、すれず痛さを防ぎ、横向きに寝る時折り曲げる背当てまくらで快適に過ごせる斜視図と調節紐を少しきつめに絞るとブリッ状になり、中が空洞なので微妙な柔らかさを持ち気持ちが良く、前に当てるには少し調節紐を締め、前に抱くと腕が下がらず、空洞部の方を胸側にすると蒸れず、通気性が良く、足は置く位置に折り曲げて使用している斜視図
【００２９】  図１２においては車椅子使用には調節紐を調節し、丸く俵のように巻き、体の倒れやすい方向に当てると、ミシンステッチが何本も入っている為に強く安定した背当てまくらと足の不自由な方の足が倒れないように車椅子に支えてセットしている斜視図
【符号の説明】
【００３０】１    長方形布１Ａ
２    長方形布２Ｂ
３    短か方向３
４    長さ方向４
５    長さ方向５
６    充填物投入口
７    ミシンステッチ７
８    ミシンステッチ８
９    ミシンステッチ９
１０  ミシンステッチ１０
１１  ミシンステッチ１１
１２  山形１２Ｃ
１３  山形１３Ｄ
１４  山形１４Ｅ
１５  ミシンステッチ二本１５
１６  山形１６Ｆ
１７  山形１７Ｇ
１８  調節紐
１９  ループ
２０  正バイヤス
２１  袋状
２２  力紐
２３  切断
２４  中央部分
２５  山形２５Ｈ
２６  山形２６Ｉ
２７  山形２７Ｊ
２８  山形２８Ｋ
２９  縦地布
３０  形状２９Ｌ
３１  形状３０Ｍ
３２  縫い合せ
３３  中表
【図１】
2011125679.tif 000004
【図２】
2011125679.tif 000005
【図３】
2011125679.tif 000006
【図４】
2011125679.tif 000007
【図５】
2011125679.tif 000008
【図６】
2011125679.tif 000009
【図７】
2011125679.tif 000010
【図８】
2011125679.tif 000011
【図９】
2011125679.tif 000012
【図１０】
2011125679.tif 000013
【図１１】
2011125679.tif 000014
【図１２】
2011125679.tif 000015